(57)【要約】      （修正有）【課題】育成容器内に二層以上の培養土壌層を形成することで育苗初期段階における根の栄養分の取り過ぎを抑制すると共に、より早く深い根を張らせ、さらに移動時における土壌中の種子等の播種位置を維持可能な植物育成用容器を提供する。【解決手段】育苗ポットと、緩衝スペーサー材と、カバー蓋と、育苗土壌とで構成される。育苗ポットは略カップ状に形成した紙製等の容器体の開口縁部にカバー蓋との嵌合部を形成し、緩衝スペーサー材はカバー蓋と育苗ポットの内側に備えられる育苗土壌との隙間部に圧縮状態で狭持される弾性緩衝体で形成する。カバー蓋は紙製等の蓋状に形成した蓋体の開口縁部に育苗ポットとの嵌合部を形成し、育苗土壌には培養成分の異なる二種以上の育苗土壌を用いて二層以上の培養土壌層を形成するように育苗ポットに充填し、該培養土壌層は最上層から下層に向かうにつれ栄養成分を多く含む構成手段を採る。【選択図】図１
0003172516.tif 000002
【実用新案登録請求の範囲】
【請求項１】
育苗ポットと、
緩衝スペーサー材と、
カバー蓋と、
育苗土壌と、
で構成される植物育成用容器であって、
前記育苗ポットは、略カップ状に形成した紙製又は樹脂製の容器体の開口縁部に前記カバー蓋との嵌合部を形成した構成から成り、
前記緩衝スペーサー材は、前記育苗ポットの上部に備えられる前記カバー蓋と、該育苗ポットの内側に備えられる育苗土壌との隙間部に、圧縮状態で狭持される弾性緩衝体から形成した構成から成り、
前記カバー蓋は、紙製又は樹脂製の蓋状に形成した蓋体の開口縁部に前記育苗ポットとの嵌合部を形成した構成から成り、
前記育苗土壌は、培養成分の異なる二種以上の培養土壌を用い、二層以上の培養土壌層を形成するように前記育苗ポットに充填し、該培養土壌層は最上層から下層に向かうにつれ培養成分を多く含む構成から成り、
該培養土壌層の最上層に種子又は球根を播種し、梱包されていることを特徴とする植物育成用容器。
【請求項２】
前記植物育成用容器において、培養土壌層の最上層上面と、前記緩衝スペーサー材との間に、発芽部分を回避する複数の育苗穴を有する紙製又は樹脂製の遮光シートが配設されることを特徴とする請求項１に記載の植物育成用容器。
【請求項３】
前記緩衝スペーサー材の収納凹部内に収納される略ドーム形状を形成する防虫ネットで前記育苗ポットの嵌合部を覆うと共に、前記育苗ポットの嵌合部と、前記カバー蓋の嵌合部の両方に嵌合可能な防虫ネット押さえ環を、前記防虫ネットの上方から覆い被せて嵌合挟持することを特徴とする請求項１又は請求項２に記載の植物育成用容器。
【請求項４】
前記育苗ポット、前記カバー蓋、前記遮光シート、及び前記防虫ネットのいずれか又はこれらの組み合わせが、生分解性素材から成ることを特徴とする請求項１から請求項３のいずれかに記載の植物育成用容器。
【考案の詳細な説明】
【技術分野】
【０００１】
本考案は植物育成用容器に関し、詳しくは、育成容器内に二層以上の培養土壌層を形成することで、育苗初期段階における根の栄養分の取り過ぎを抑制すると共に、より早く深い根を張らせ、さらに移動時の土壌中の種子又は球根の播種位置を維持することができる植物育成用容器に関する。
【背景技術】
【０００２】
園芸センターやホームセンター等で販売される育苗ポットは、安価で成型性が高く、耐久性のある塩化ビニールやポリエチレンなどの合成樹脂製ポット（ポリポット）に、育成に不可欠な培土を充填し、野菜、果実、観賞用植物、庭木等の種子が播種された状態で提供されるのが一般的である。
【０００３】
また、最近では、肥料成分として、チッソ、リン酸、カリ、ミネラル分などを含む種々の培養土や、栄養剤等が販売されており、育成の段階に応じて適切な栄養を与えやすい環境にあるといえる。
【０００４】
しかしながら、播種された種子は、発芽から初期の育成に必要な栄養分をもっているため、当初から栄養分を含んだ培養土で育成すると、栄養の取り過ぎによる育成不良を起こすという問題があり、当初から栄養分を含んでいない土壌のままでは、次の成長段階において栄養不足が問題となるのは説明の余地のないものである。
【０００５】
したがって、播種直後から相当の期間において、水分供給のみで適切な育苗を可能とする植物育成用容器の提案が望まれているところである。
【０００６】
現在市販されている育苗ポット等では、初期の育成に適した栄養分しか含まれていない倍土を詰めて発芽させ、出芽後の所定期間経過後に、栄養分の多い土壌等へ移し替えて育成させるなどの方法により対応しているのが現状である。そこで、容器の素材に生分解性素材などを使用した育苗ポットの提案が数多くなされ、栄養分の多い培養土壌へ容器ごと埋めてしまう技術が提案されている。
【０００７】
例えば、全面に生分解性を有する接着剤を塗布または含侵した紙製シートを立体形状に折り畳むと共に、その重畳部を接着した「育苗ポット」（特許文献１参照）や、分解性が異なる少なくとも二種類の生分解性プラスチックからなる多層の育苗ポットであって、分解性の遅い方の生分解性プラスチック層を内側にした「生分解性育苗ポット」（特許文献２参照）が提案されている。
【０００８】
しかしながら、上記の「育苗ポット」（特許文献１）や、「生分解性育苗ポット」（特許文献２）は、移し替えを容易にするために、育苗ポットを生分解性素材で形成した手段の提案に過ぎず、移し替え作業自体は必要である。また、本考案のように、育成容器内に二層以上の培養土壌層を形成することで育苗初期段階における根の栄養分の取り過ぎを抑制すると共に、より早く深い根を張らせ、さらに移動時の土壌中の種子又は球根の播種位置を維持することができる植物育成用容器ではない。
【０００９】
また、従来の育苗ポッドでは、育成用容器内の培養土壌層に播種された種子又は球根が、販売時ならびに搬送中に移動したり、拡散したりして培養土壌層中の播種状態を維持できないという問題もある。
【００１０】
前記の問題を解決しようとする提案として、例えば、本出願人による種又は球根と、肥料と、土壌とを内在すると共に、生分解性であって、且つ、透水性で形成される容器と、この容器の底部には、穴がなく、種又は球根の上は、土壌により覆われているものであり、容器の上端開口部を覆ってシールする蓋と、最上位の土壌の移動を阻止するために、蓋と最上位の土壌との間の空間の略全体に亘って設けられたスペーサーとを備えた「植物育成用容器」（特許文献３参照）が提案されている。
【００１１】
しかしながら、上記の「植物育成用容器」（特許文献３）の提案は、移動時の土壌中の種子又は球根の播種位置は維持することができるが、本考案のように育成容器内に二層以上の培養土壌層を形成することで育苗初期段階における根の栄養分の取り過ぎを抑制すると共に、より早く深い根を張らせることができる手段を構築しているものではなかった。
【００１２】
そこで、本出願人は、従来の育苗ポットにおける育成容器内の培養土壌層の成分濃度に着目し、育成容器内に二層以上の培養土壌層を形成することによって、育苗初期段階における根の栄養分の取り過ぎを抑制することにより早く深い根を張らせると共に、移動時の土壌中の種子又は球根の播種位置を維持することができないものかとの着想の下、本考案における「植物育成用容器」の提案に至るものである。
【先行技術文献】
【特許文献】
【００１３】
【特許文献１】特開２００１-１６１１７３号公報
【特許文献２】特開平９-９８６７１号公報
【特許文献３】実用新案登録第３１４６７５６号公報
【考案の概要】
【考案が解決しようとする課題】
【００１４】
本考案は上記問題点に鑑み、育成容器内に二種以上の培養土壌層を形成することで育苗初期段階における根の栄養分の取り過ぎを抑制すると共に、より早く深い根を張らせ、さらに移動時の土壌中の種子又は球根の播種位置を維持することができる植物育成用容器の提供を図るものである。
【課題を解決するための手段】
【００１５】
本考案の植物育成用容器は、育苗ポットと、緩衝スペーサー材と、カバー蓋と、育苗土壌と、で構成される植物育成用容器であって、前記育苗ポットは、略カップ状に形成した紙製又は樹脂製の容器体の開口縁部に前記カバー蓋との嵌合部を形成した構成から成り、前記緩衝スペーサー材は、前記育苗ポットの上部に備えられる前記カバー蓋と、該育苗ポットの内側に備えられる育苗土壌との隙間部に、圧縮状態で狭持される弾性緩衝体から形成した構成から成り、前記カバー蓋は、紙製又は樹脂製の蓋状に形成した蓋体の開口縁部に前記育苗ポットとの嵌合部を形成した構成から成り、前記育苗土壌は、培養成分の異なる二種以上の培養土壌を用い、二層以上の培養土壌層を形成するように前記育苗ポットに充填し、該培養土壌層は最上層から下層に向かうにつれ培養成分を多く含む構成から成り、該培養土壌層の最上層に種子又は球根を播種し、梱包されている手段を採る。
【００１６】
また本考案の植物育成用容器は、前記植物育成用容器において、培養土壌層の最上層上面と、前記緩衝スペーサー材との間に、発芽部分を回避する複数の育苗穴を有する紙製又は樹脂製の遮光シートが配設される手段を採る。
【００１７】
また本考案の植物育成用容器は、前記緩衝スペーサー材の収納凹部内に収納される略ドーム形状を形成する防虫ネットで前記育苗ポットの嵌合部を覆うと共に、前記育苗ポットの嵌合部と、前記カバー蓋の嵌合部の両方に嵌合可能な防虫ネット押さえ環を、前記防虫ネットの上方から覆い被せて嵌合挟持する手段を採る。
【００１８】
また本考案の植物育成用容器は、前記育苗ポット、前記カバー蓋、前記遮光シート、及び前記防虫ネットのいずれか又はこれらの組み合わせが、生分解性素材から成る手段を採る。
【考案の効果】
【００１９】
本考案の植物育成用容器によれば、育成容器内に二層以上の培養土壌層を形成することによって育苗初期段階における根の栄養分の取り過ぎを抑制すると共に、より早く深い根を張らせ、さらに移動時の土壌中の種子又は球根の播種位置を維持することができる優れた効果を奏する。
【００２０】
また、本考案の植物育成用容器によれば、緩衝スペーサー材が、育苗ポットの上部に備えられるカバー蓋と、該育苗ポットの内側に備えられる育苗土壌との隙間部に圧縮状態で設けられることによって、販売時ならびに運搬時において種子又は球根が播種された状態で移動することなく維持される優れた効果を奏する。
【００２１】
また、本考案の植物育成用容器によれば、紙製又は樹脂製の遮光シートを培養土壌層の最上層上面と、緩衝スペーサー材との間に発芽部分を回避する複数の育苗穴を有して配設されることによって、培養土壌層の最上層上面の水分の蒸発ならびに保温と雑草の生育を抑制することができる優れた効果を奏する。
【００２２】
また、本考案の植物育成用容器によれば、防虫ネットを育苗ポットの嵌合部と、カバー蓋の嵌合部の両方に嵌合するように上方から覆い被せ、さらに防虫ネット押さえ環で嵌合挟持することで、植物苗や苗木の育苗段階での防虫対策が図れる優れた効果を奏する。
【００２３】
また、本考案の植物育成用容器によれば、育苗ポット、カバー蓋、遮光シート、防虫ネットが、生分解性素材から形成されることによって、そのまま地中に埋設することができるためゴミ問題などの地球環境問題に貢献できる優れた効果を奏する。
【図面の簡単な説明】
【００２４】
【図１】本考案の植物育成用容器における請求項１記載の実施形態を示す説明図である。（実施例１）
【図２】本考案の植物育成用容器における請求項２記載の実施形態を示す説明図である。（実施例２）
【図３】本考案の植物育成用容器における請求項３記載の実施形態を示す説明図である。（実施例３）
【考案を実施するための形態】
【００２５】
本考案の植物育成用容器は、育成容器内に二層以上の培養土壌層を形成することで育苗初期段階における根の栄養分の取り過ぎを抑制すると共に、より早く深い根を張らせ、さらに移動時の土壌中の種子又は球根の播種位置を維持することができる手段を採ったことを最大の特徴とするもので、以下、実施例を図面に基づいて説明する。
【実施例１】
【００２６】
図１は、本考案の植物育成用容器における請求項１記載の実施形態を示す説明図である。
図１(a)は植物育成用容器の分解斜視図を示し、図１（b）は使用状態における全体斜視図を示し、図１（c）は梱包状態における断面図を示す。
植物育成用容器１は、育苗ポット１０と、緩衝スペーサー材２０と、カバー蓋３０と、育苗土壌４０と、で構成される植物育成用容器である。
【００２７】
育苗ポット１０は、略カップ状に形成した廃棄処理が容易な紙製又は安価で成型加工が容易な塩化ビニールやポリエチレンなどの合成樹脂製の円形、長楕円形、多角形等の容器体で形成され、該容器体の開口縁部１１にはカバー蓋３０の嵌合部３２と嵌合する嵌合部１２を形成して収納ならびに携帯性を高めたもので、容器体の内部には、育苗土壌４０と種子又は球根Ｓが充填されるものである。なお、図３８（ａ）及び図３（ｃ）に示したように、容体底部に排水口３３を設けることも望ましい。
【００２８】
緩衝スペーサー材２０は、育苗ポット１０の上部に備えられるカバー蓋３０と、該育苗ポット１０の内側に備えられる育苗土壌４０との隙間部１３に圧縮状態で狭持されるスポンジや発泡性樹脂などの弾性緩衝体からなるもので、販売時ならびに運搬時において種子又は球根Ｓが播種された状態で維持する目的で設けられるものである。
【００２９】
カバー蓋３０は、廃棄処理が容易な紙製又は安価で成型加工が容易な塩化ビニールやポリエチレンなどの合成樹脂製の蓋状に形成し、蓋体の開口縁部３１の嵌合部３２に育苗ポット１０との嵌合部１２を嵌合させて販売時ならびに運搬時の収納ならびに携帯性を高めたものである。また、育苗時は育苗ポット１０の底面に敷いて水受け皿として利用できるため、室内用のプランターとしても使用できるものである。
【００３０】
育苗土壌４０は、培養成分の異なる二層以上の培養土壌層４１を形成するように育苗ポット１０内に充填されるものである。
【００３１】
培養土壌層４１は、最上層４２aから下層４２b（図１（ａ）では二層を示しているが図１（Ｃ）のように多層とすることも可）に向かうにつれ培養成分を多く含む土壌層から成るもので、該培養土壌層４１の最上層４２aに種子又は球根Ｓを播種することによって、育苗初期段階における根の栄養分の取り過ぎを抑制する元肥や追肥の土壌層とすると共に、根菜などをより早く深い根を張らせるためには、下層４２bをホール状に掘り下げて最上層４２aの土壌層とすることもできる。
【００３２】
発芽時期では、発芽に必要とされる栄養成分は元々種子や球根Ｓに備わっているので、種子や球根Ｓの周辺には肥料は不要であり、加えて育苗初期段階における根の栄養分の取り過ぎは発育障害を起こす易いものである。また、下層４２bに栄養成分が多い培養土壌層とすることで、出根の後、根自身が栄養分を求めて根を深く張ることを助長するものである。
【００３３】
肥料のやり方としての元肥は、植物の苗や苗木を植え付けるときなどに事前に与える肥料のことで、すぐ肥料効果を期待する目的でないため有機質肥料をベースにした遅効性の肥料か、緩効性肥料を使用するものである。また追肥は、植物の生育に応じて必要な養分を追加で与えることですぐに効果を期待するため、速効性のある液体肥料（花工場原液など）や化成肥料を使用する。追肥の種類には、春先良い芽を出させるために与える「芽出し肥」、花を咲かせたり、実を収穫した後、弱った植物の体力を回復させるために与える［お礼肥］、鉢土の上に置く「置肥」などがあり、置肥には２〜３ヵ月程度効果が持続するエードボールCaなどの緩効性肥料が適している。したがって、階層の深さや数については、これら肥料の特性と播種される植物の種類に応じて、適宜選択する。
【００３４】
種子又は球根Ｓは、培養土壌層４１の最上層４２aに播種され、育苗ポット１０の上部に備えられるカバー蓋３０と、該育苗ポット１０の内側に備えられる育苗土壌４０との隙間部１３に設けられる緩衝スペーサー材２０よって販売時ならびに運搬時において移動することなく維持されるものである。
【実施例２】
【００３５】
図２は、本考案の植物育成用容器における請求項２記載の実施形態を示す説明図である。
図２(a)は植物育成用容器の分解斜視図を示し、図２（b）は使用状態における全体斜視図を示し、図２（c）は梱包状態における断面図を示す。
本考案の植物育成用容器１は、培養土壌層４１の最上層４２a上面と、緩衝スペーサー材２０との間に、発芽部分を回避する複数の育苗穴５１を有する紙製又は樹脂製の遮光シート５０が配設されるものである。
【００３６】
遮光シート５０は、廃棄処理が容易で耐水コーティングされた黒色の紙製又は安価な除草用の合成樹脂製シートで形成されるもので、培養土壌層４１の最上層４２a上面の水分の蒸発ならびに保温と雑草の生育を抑制することを目的として設けられるものである。
【００３７】
育苗穴５１は、播種される種子又は球根Ｓの発芽部分を回避する位置に合わせて任意に複数配設されるものである。
【実施例３】
【００３８】
図３は、本考案の植物育成用容器における請求項３記載の実施形態を示す説明図である。
図３(a)は植物育成用容器の分解斜視図を示し、図３（b）は使用状態における全体斜視図を示し、図３（c）は使用状態における断面図を示す。
本考案の植物育成用容器１は、緩衝スペーサー材２０の収納凹部２１内に収納される略ドーム形状を形成する防虫ネット６０で育苗ポット１０の嵌合部１２を覆うと共に、育苗ポット１０の嵌合部１２に嵌合可能な防虫ネット押さえ環６２を、防虫ネット１０の上方から覆い被せて嵌合挟持するものである。
【００３９】
防虫ネット６０は、苗の発芽段階の防虫効果を図るもので、平面なシート状の不織布、合成樹脂製網目ネット、布製網、通気性紙等である。使用時には略ドーム形状となるように折り畳んで形成し、防虫ネット押さえ環６２により育苗ポット１０の嵌合部１２に挟持して固定される。なお、防虫ネット押さえ環６２を使用しなくても、嵌合部１２の凹部に防虫ネット６０を差し込むようにしたり、育苗ポット１０の嵌合部１２の突起を利用して、お洒落なリボン等の紐状物や輪ゴムのようなリング状弾性部材を用いて下方への脱落を防止することもでき、使用者の好みに広く対応可能である。なお、防虫ネット６０は、シート状のままでもよいが、略ドーム形状となるように縫製されたものであればより好ましい。また、防虫ネット６０が緩衝スペーサー材２０内に収納できるように、緩衝スペーサー材２０に座ぐり部を設けて収納凹部２１を形成することで、出荷から販売時を経て開封までのあいだ、防虫ネット６０の保管が容易となる構成を採用することも有効である。
【００４０】
防虫ネット押さえ環６２は、育苗ポット１０の嵌合部１２と、嵌合可能な形状及び寸法にして防虫ネット６０を固定させるもので、着脱自在に簡単に取り外しができると共に、防虫ネット６０を装着しない場合は、育苗ポット１０の嵌合部１２に直接嵌合・狭持させて収納することができるものである。
【産業上の利用可能性】
【００４１】
本考案の植物育成用容器は、植物の苗や苗木の育成用容器としても基より、贈答用や保存用、研究用の簡易植物育成用容器としても使用できることから、本考案における植物育成用容器の産業上の利用可能性は大とするものと解する。
【符号の説明】
【００４２】
１  植物育成用容器
１０  育苗ポット
１１  開口縁部
１２  嵌合部
１３  隙間部
２０  緩衝スペーサー材
２１  収納凹部
３０  カバー蓋
３１  開口縁部
３２  嵌合部
３３  排水口
４０  育苗土壌
４１  培養土壌層
４２a 最上層
４２b 下層
５０  遮光シート
５１  育苗穴
６０  防虫ネット
６１  嵌合部
６２  防虫ネット押さえ環
Ｓ    種子又は球根
Ｎ    苗
【図１】
0003172516.tif 000003
【図２】
0003172516.tif 000004
【図３】
0003172516.tif 000005